(57)【特許請求の範囲】
【請求項１】
一対の支柱部と、該支柱部を連結する横架部とから成る枠体を所定間隔にて複数個並設し、各枠体の支柱部同士をパンタグラフ状の筋交いにて連結して伸縮自在とすると共に、各枠体間に架設する足場板を長手方向の略中間部で折り畳み自在とし、足場板を伸張したときの折り畳み部を支持する支持材を筋交いに備え、前記支持材は筋交いの伸縮方向中間部に備えた一対の中間支柱と、その上端部に架設した横架材とからなる略門型を成すと共に、前記中間支柱は外管とその内部に摺動自在に嵌入された内管より成り、内管の下端部を筋交いの下位側連結部へ連結ピンにて軸着する一方、外管の中間部を筋交いの上位側連結部へ連結ピンにて軸着して筋交いの伸縮に応じて前記中間支柱が伸縮し、足場板を伸張したときには中間支柱が短縮して伸張した足場板の折り畳み部へ中間支柱の上端部に架設した横架材の上面部が当接して足場板にかかる荷重を下方より支えるように構成したことを特徴とする折り畳み式仮設足場。
【請求項２】
両端の枠体にキャスター付きの建枠を係止具にて足場高さ調節可能に連結したことを特徴とする請求項１記載の折り畳み式仮設足場。
【発明の詳細な説明】
【０００１】
【発明の属する技術分野】
本発明は、ビルや家屋などの建築工事などで使用される仮設足場のうち、折り畳み可能な仮設足場に関する。
【０００２】
【従来の技術】
従来より、ビルや家屋などの建築、或いは改修工事などにおいて、ビルや家屋の周囲に多数の建枠や足場板などをジョイント部品にて連結して仮設足場を組み上げ、各種工事作業に応じた作業用の足場を確保するようにしている。
【０００３】
【発明が解決しようとする課題】
しかしながら、前述のように、仮設足場を組み上げるのには多数の建枠や足場板を必要とする上、組み上げ、或いは解体作業には多くの時間や手間を要していた。特に、ビルや家屋の外装や内装の改修などといった比較的軽微な工事においても通常の建築工事と同様に仮設足場を組み上げることは、全工事作業に要する時間やコストに対し、仮設足場の設置、解体に要する時間やコストの占める割合が大きくなりすぎるという不都合があった。また、内装工事などで作業場所を少しずつ移していく場合でも、その都度仮設足場の解体と設置を繰り返すのは非常に煩わしく非能率的なものであった。
【０００４】
また、既設のビルや家屋周囲の地表には庭木や室外機などが、また屋内にも据え付けの動かせない障害物が設置されていたり、或いは仮設足場の設置時の作業スペースや設置スペースそのものが非常に狭かったりするなど仮設足場を組み上げるのに不適な場合も珍しくなく、設置場所に苦慮することもあった。
【０００５】
本発明は上記の点に鑑み、設置場所を選ばずに、簡単に設置、及び撤去することのできる折り畳み式仮設足場を提供することを課題とする。
【０００６】
本発明は上記の課題を解決するために、請求項１記載の折り畳み式仮設足場にあっては、一対の支柱部と、該支柱部を連結する横架部とから成る枠体を所定間隔にて複数個並設し、各枠体の支柱部同士をパンタグラフ状の筋交いにて連結して伸縮自在とすると共に、各枠体間に架設する足場板を長手方向の略中間部で折り畳み自在とし、足場板を伸張したときの折り畳み部を支持する支持材を筋交いに備え、前記支持材は筋交いの伸縮方向中間部に備えた一対の中間支柱と、その上端部に架設した横架材とからなる略門型を成すと共に、前記中間支柱は外管とその内部に摺動自在に嵌入された内管より成り、内管の下端部を筋交いの下位側連結部へ連結ピンにて軸着する一方、外管の中間部を筋交いの上位側連結部へ連結ピンにて軸着して筋交いの伸縮に応じて前記中間支柱が伸縮し、足場板を伸張したときには中間支柱が短縮して伸張した足場板の折り畳み部へ中間支柱の上端部に架設した横架材の上面部が当接して足場板にかかる荷重を下方より支えるように構成したことを特徴としている。
【０００７】
また、請求項２記載の折り畳み式仮設足場にあっては、両端の枠体にキャスター付きの建枠を係止具にて足場高さ調節可能に連結したことを特徴としている。
【０００９】
【発明の実施の形態】
本発明に係る請求項１記載の折り畳み式仮設足場によれば、例えば、建物の内装工事を行うような場合には、先ず、筋交い、及び足場板を折り畳んでコンパクトな状態にした折り畳み式仮設足場を屋内に運び込む。そして、一端側の枠体を建物の内壁に沿わせて引き離していくと、それに追従してパンタグラフ状の筋交いが一端側より１スパン毎に伸張されていくと共に、折り畳んだ足場板も一端側より順に水平状態へと伸張されていく。このようにして、最終的に全ての筋交いと足場板が伸張されれば足場の完成となる。
【００１０】
このように、前記足場は折り畳み式で狭い屋内にも容易に運び込める上、設置時にも広い作業場所を必要とせず、ごく簡単な作業で足場が設置できると共に、逆の操作を行えば簡単に折り畳めて直ちに撤去することができるため、比較的軽微な工事には特に有利なものとなる。また、足場板伸張時には筋交いに備えた支持材が足場板の折り畳み部を支持する構成としているため、折り畳みを可能としながらも足場として十分な強度を確保することができる。
【００１１】
また、請求項２記載の折り畳み式足場によれば、キャスターにより容易にかつ迅速に枠体の伸張、及び折り畳み作業を行える。また、建枠と枠体との連結位置を変えれば容易に足場の高さ調節ができるので、作業場所に応じた最適な高さの足場を設置できると共に、例え床上や地表に動かせない障害物などがあっても跨いで設置でき、設置場所を選ばずに済む。
【００１３】
【実施例】
以下、本発明の実施例を図面に基づいて説明する。
【００１４】
１は本発明に係る折り畳み式仮設足場であって、複数の枠体２と、それらを連結するパンタグラフ状の筋交い３、及び各枠体２間に架設した折り畳み可能な足場板４にて構成している。
【００１５】
前記枠体２は、所定間隔を保って平行に立設させた一対の支柱部５と、両支柱部５の下端部同士を横架部６にて連結して略Ｕ字形状に形成しており、支柱部５の下端部には透孔７を穿設していると共に、中間部内側には支柱部５の長さ方向に沿って適宜長さの長溝８を備えている。
【００１６】
また、筋交い３は、多数の棒材９をそれぞれ交差させ、連結ピン１０にて回動自在に軸着して連結することによって伸縮自在としたパンタグラフ状のものであり、両端部において上位側となる棒材９端部には、前記長溝８の溝幅より若干小径の摺動ピン１１を固着していると共に、下位側となる棒材９端部にはピン孔を穿設している。
【００１７】
そして、複数並設した各枠体２間の両側に筋交い３を配置し、各筋交い３端部のピン孔を枠体２の透孔７位置に合わせて連結ピンを挿入して軸着する一方、各筋交い３端部の摺動ピン１１を枠体２の長溝８内に嵌合する。このように構成することによって、各枠体２間を広めたり狭めたりすれば摺動ピン１１が長溝８内を摺動して筋交い３を伸縮させることができるようになっている。
【００１８】
足場板４は、同サイズの板体１２、１２´の端部同士をヒンジ結合するとともに、足場板４の両端をそれぞれ各枠体２の支柱５に回動自在に軸着しており、各枠体２間を広めたり狭めたりすれば足場板４をヒンジ部１３を中心に折り畳むことができるようになっている。
【００１９】
また、１４は前記足場板４のヒンジ部１３を下方より支持する支持材であって、筋交い３の伸縮方向中間部に備えた一対の中間支柱１５と、その上端部に架設した横架材１６とからなる略門型をしたものである。前記中間支柱１５は、外管１７とその内部に摺動自在に嵌入された内管１８よりなり、内管１８の下端部を筋交い３の下位側連結部へ連結ピンにて軸着していると共に、外管１７の中間部を筋交い３の上位側連結部へ連結ピン１０にて軸着しており、筋交い３の伸縮に応じて中間支柱１５が伸縮し、筋交い３の伸縮を妨げないような構成としている。そして、筋交い３伸張時には中間支柱１５が短縮して、図１に示すように、伸張した足場板４のヒンジ部１３へ横架材１６の上面部が当接するように設定しており、足場板４にかかる荷重を下方より支えられるようにしている。
【００２０】
なお、本実施例においては、伸張した足場板４の折り畳み部を支持するために筋交い３に支持材１４を備えたが、足場板４が折り畳み部において谷折りにならないようにすると共に、作業時にかかる荷重に十分耐えられるようであれば別段支持材を省略してもよい。また、支持材として上記のような構成のものを採用したが、何らこれに限定するものではなく、要はヒンジ部１３において足場板４が谷折りになるのを妨げ、ヒンジ部１３にかかる荷重を支えられるようなものであればよい。
【００２１】
また、折り畳み式仮設足場１の両端の枠体２には、下端部にキャスター１９を備えた建枠２０を連結しており、枠体２に備えた係止具２１によって建枠２０の所望高さ位置に取り付けられるようにしている。このように構成することにより、折り畳み式仮設足場１を設置する場所に障害物があったとしても、これを跨いで設置できると共に、伸張や折り畳みが楽で迅速に足場の設置及び撤去ができ、また設置後の足場の移動も楽に行える。
【００２２】
しかして、折り畳み式仮設足場１を作業現場に設置する場合には、先ず、図５に示すように筋交い３及び足場板４を折り畳んだ状態で作業現場に持ち込む。そして、両端の枠体２に取り付けた建枠２０を引き離していくと、それにつれて筋交い３が１スパン毎に伸張されていくと共に、折り畳まれている足場板４が水平に伸張されていく。そして、図１に示すように、全スパンの筋交い３が伸張しきって全ての足場板４が水平状態となると、筋交い３に備えた支持材１４によって足場板４のヒンジ部１３が支持され、大きな荷重にも耐えられるように確実に足場板４を水平に保持する。最後に、折り畳み式仮設足場１が所望の高さとなるように係止具２１にて高さ調節して設置を完了する。また、折り畳み式仮設足場１を収納する場合には、上記と逆の手順で折り畳んでいく。
【００２３】
このように、前記折り畳み式仮設足場１はごく簡単な操作によって設置、及び撤去ができるのでそれに要する作業もごく短時間で済む。また、折り畳み式仮設足場１の両端の枠体２をキャスター１９付きの建枠２０に連結すれば、障害物のあるところでも容易に設置できる上、組上がった状態でそのまま移動できて便利である。
【００２４】
図７は折り畳み式仮設足場１の別の使用例を示すもので、ビルなどの周囲に組み上げた足場Ａに伸張した折り畳み式仮設足場１を架設したものである。このように使用すれば、足場に要する部材と共に、組み上げ、及び解体の手間も大幅に低減できる。
【００２５】
なお、上記実施例では足場板４の両端を枠体２に軸着して折り畳み式仮設足場１と一体化させているが、略中間部で折り畳めさえすれば、適宜取り外しのできる架設タイプの足場板を採用してもかまわない。
【００２６】
以上のように本発明に係る請求項１記載の折り畳み式仮設足場によれば、一対の支柱部と、該支柱部を連結する横架部とから成る枠体を所定間隔にて複数個並設し、各枠体の支柱部同士をパンタグラフ状の筋交いにて連結して伸縮自在とすると共に、各枠体間に架設する足場板を長手方向の略中間部で折り畳み自在とし、足場板を伸張したときの折り畳み部を支持する支持材を筋交いに備え、前記支持材は筋交いの伸縮方向中間部に備えた一対の中間支柱と、その上端部に架設した横架材とからなる略門型を成すと共に、前記中間支柱は外管とその内部に摺動自在に嵌入された内管より成り、内管の下端部を筋交いの下位側連結部へ連結ピンにて軸着する一方、外管の中間部を筋交いの上位側連結部へ連結ピンにて軸着して筋交いの伸縮に応じて前記中間支柱が伸縮し、足場板を伸張したときには中間支柱が短縮して伸張した足場板の折り畳み部へ中間支柱の上端部に架設した横架材の上面部が当接して足場板にかかる荷重を下方より支えるように構成したので、各枠体を引き離していくだけで速やかに足場が構築され、また撤去も折り畳むだけで簡単に完了する。また、足場板を伸張したときの折り畳み部を支持する支持材を筋交いに備えたので、作業時に大きな荷重がかかっても確実に足場板を水平状態に保持することができる。
【００２７】
また、請求項２記載の折り畳み式仮設足場によれば、両端の枠体にキャスター付きの建枠を係止具にて足場高さ調節可能に連結したので、キャスターにより容易にかつ迅速に枠体の伸張、及び折り畳み作業を行える。また、建枠と枠体との連結位置を変えれば容易に足場の高さ調節ができるので、作業場所に応じた最適な高さの足場を設置できると共に、設置場所に障害物があっても跨いで設置することができて便利である。
【図面の簡単な説明】
【図１】本発明に係る折り畳み式仮設足場の一実施例を示す正面図である。
【図２】図１の平面図である。
【図３】図１の拡大側面図である。
【図４】本発明に係る折り畳み式仮設足場の折り畳み手順を説明する図である。
【図５】本発明に係る折り畳み式仮設足場を折り畳んだ状態の正面図である。
【図６】図５の側面図である。
【図７】本発明に係る伸縮足場の別の使用例を説明する図である。
【符号の説明】
１…折り畳み式仮設足場        ２…枠体
３…筋交い                    ４…足場板
５…支柱部                    ６…横架部
７…筋交い                  １３…折り畳み部（ヒンジ部）
１４…支持材                  １５…中間支柱
１９…キャスター              ２０…建枠
【図１】
0004741754.tif 000002
【図２】
0004741754.tif 000003
【図３】
0004741754.tif 000004
【図４】
0004741754.tif 000005
【図５】
0004741754.tif 000006
【図６】
0004741754.tif 000007
【図７】
0004741754.tif 000008